(57)【要約】【課題】特別な部材を用いたりすることなく、簡単な手段によりすべり止めを図って陳列台を積み重ねうるようにする。【解決手段】天板３を支持する枠体２の下端に高さ調節用の複数のアジャスタ７を突設してなる商品陳列台１において、枠体２の四隅部脚杆４における各アジャスタ７と上下に整合する上端部に、該アジャスタ７の最大外形よりも大きい受け孔１０を設ける。【選択図】        図１
2004321545.tif 000002
【特許請求の範囲】
【請求項１】
天板を支持する枠体の下端に高さ調節用の複数のアジャスタを突設してなる陳列台において、前記天板または枠体の隅部における前記各アジャスタと上下に整合する位置に、該アジャスタの最大外形よりも大きい受け孔を設けたことを特徴とする陳列台。
【請求項２】
枠体を平面視方形をなす箱形とし、かつその四隅の上下方向を向く縦杆を脚杆として、その下端にアジャスタを設けるとともに、各脚杆の上端部に受け孔を設けた請求項１に記載の陳列台。
【請求項３】
脚杆を、上端が開口された管材よりなるものとした請求項２記載の陳列台。
【請求項４】
アジャスタを、アジャスタボルトと、その下端に連結された回転座とからなるものとし、前記回転座を回転させることによって、その突出長さを調整しうるようにした請求項１〜３のいずれかに記載の陳列台。
【請求項５】
回転座を円形とし、その外径と前記受け孔の内径または内接円をほぼ同一寸法とした請求項１〜４のいずれかに記載の陳列台。
【請求項６】
回転座の下部外周縁を、テーパ状または円弧状に面取りしてなる請求項４または５記載の陳列台。
【請求項７】
請求項１〜６のいずれかに記載の陳列台を載置する支持体の上面に、前記陳列台における各アジャスタが嵌合可能な受け孔を設けたことを特徴とする陳列台の支持構造。
【発明の詳細な説明】
【０００１】
【発明の属する技術分野】
本発明は、スーパーマーケットやホームセンター、コンビニエンスストア等に設置される商品陳列用の陳列台及びその支持構造に関する。
【０００２】
【従来の技術】
従来、この種の商品陳列台を積み重ねて使用する場合、陳列商品の高さスペースを確保するための４本の支柱が嵌合可能な嵌合孔を有するトレーを、４本の支柱を介して組み付け、多段の商品陳列具を形成するようにしたものがある（例えば特許文献１参照）。
【０００３】
また、前後にキャスタを有し、かつ上端に凹部を有する複数の収納箱を、上段のキャスタが下段の凹部に前後移動不能に嵌合するようにして、多段状に載置することができるようにしたものもある（特許文献２参照）。
【０００４】
【特許文献１】
特開２００１−２８９号公報（図１）
【特許文献２】
特開平６−１１９３８号公報（第６図及び第７図）
【０００５】
【発明が解決しようとする課題】
しかし、特許文献１のものにおいては、トレーの四隅に嵌合孔を設けるために特別の加工を必要とし、かつ嵌合孔に組み付ける４本の支柱を別途製作する必要があるため、コスト高となる。
【０００６】
一方、上記特許文献２のものでは、下段の収納箱の上面の前後部に、上段の収納箱のキャスタを移動不能に載置する前部上梁や後部上梁を設けたり、上段の収納箱の下部後梁に、下段の収納箱の後部上梁に係合して後方の移動を不能とする屈曲係止片を設けたりする必要があるため、部品点数やそれらの加工工数が増えてコスト高となる。
【０００７】
また、上記特許文献以外の従来の商品陳列台として、上段の箱体の下面に設けられたピンを、下段の箱体の上面に設けられた係合溝に嵌合することにより、上段の箱体のすべり止めを行うようにしたものもあるが、このようなものでは、ピンが突出するので安全上好ましくない。
【０００８】
本発明は、従来技術の有する上述のような問題点に鑑みてなされたもので、特別な部材を用いたり、加工を施したりすることなく、簡単な手段によりすべり止めを図って積み重ねうるようにした陳列台及びその支持構造を提供することを目的としている。
【０００９】
【課題を解決するための手段】
本発明によると、上記課題は、次のようにして解決される。
（１）天板を支持する枠体の下端に高さ調節用の複数のアジャスタを突設してなる陳列台において、前記天板または枠体の隅部における前記各アジャスタと上下に整合する位置に、該アジャスタの最大外形よりも大きい受け孔を設ける。
【００１０】
（２）上記（１）項において、枠体を平面視方形をなす箱形とし、かつその四隅の上下方向を向く縦杆を脚杆として、その下端にアジャスタを設けるとともに、各脚杆の上端部に受け孔を設ける。
【００１１】
（３）上記（２）項において、脚杆を、上端が開口された管材よりなるものとする。
【００１２】
（４）上記（１）〜（３）項のいずれかにおいて、アジャスタを、アジャスタボルトと、その下端に連結された回転座とからなるものとし、前記回転座を回転させることによって、その突出長さを調整しうるようにする。
【００１３】
（５）上記（１）〜（４）項のいずれかにおいて、回転座を円形とし、その外径と前記受け孔の内径または内接円をほぼ同一寸法とする。
【００１４】
（６）上記（４）または（５）項において、回転座の下部外周縁を、テーパ状または円弧状に面取りする。
【００１５】
（７）上記（１）〜（６）のいずれかに記載の陳列台を載置する支持体の上面に、前記陳列台における各アジャスタが嵌合可能な受け孔を設ける。
【００１６】
【発明の実施の形態】
以下、本発明の一実施形態を、図面を参照しながら説明する。
図１は、本発明を適用した商品陳列台（１）（１）の積み重ね前の斜視図、図２は、同じく積み重ねた際の正面図である。
図１に示すように、商品陳列台（１）は、方形箱状をなす枠体（２）と、その上端の枠内に嵌挿された天板（３）とを備えている。
【００１７】
枠体（２）は、その四隅に配設された上下方向を向く縦杆、すなわち上端が開口された角管状の４本の脚杆（４）における互いに対向する上下の端部同士を、同じく角管状の横連結杆（５）により結合して形成されている。
【００１８】
上部側の各横連結杆（５）の内面には、Ｌ字状のアングル材（６）が長手方向に沿って固着され、それらのアングル材（６）の内向片（６ａ）の上面に、上記天板（３）が載置されている。
【００１９】
上記各脚杆（４）、上部側の各横連結材（５）及び天板（３）の上面は、ほぼ同一面に整合しており、また各脚杆（４）の下端と、下部側の各横連結杆（５）の下面も、同一面に整合している。
【００２０】
各脚杆（４）の閉塞された下面には、めねじ孔（図示略）が穿設され、このめねじ孔には、脚座となる高さ調節可能なアジャスタ（７）が取り付けられている。
【００２１】
各アジャスタ（７）は、図３にも拡大して示すように、上記めねじ孔に螺合されたアジャスタボルト（８）と、その下端に固着された円板状の回転座（９）とからなり、陳列台（１）の高さは、この回転座（９）を回転してその突出長を変えることにより調整することができる。
【００２２】
上記各アジャスタ（７）の回転座（９）の外径は、各脚杆（４）の上端の受け孔（１０）に挿脱可能に嵌合しうるように、受け孔（１０）の内接円とほぼ同等もしくは若干小としてある。
【００２３】
回転座（９）の外径を受け孔（１０）の内接円とほぼ等しくした際には、その下端部の外周縁を円弧状または図４に示すように、テーパ状に面取りすることが好ましい。このようにすると、上段の陳列台（１）を下段の陳列台（１）に積み重ねる際に、各受け孔（１０）に位置決めして容易に嵌合することができる。
【００２４】
上記実施形態の商品陳列台（１）を積み重ねて多段状の商品陳列什器を形成したり、積み重ねて保管したりする際には、下段の商品陳列台（１）における４本の脚杆（４）の上端部の受け孔（１０）内に、上段の商品陳列台（１）の各脚杆（４）のアジャスタ（７）を、上下の商品陳列台（１）における下部と上部の横連結杆（５）同士が当接するまで挿入すればよい。
【００２５】
これにより、上段の商品陳列台（１）は、位置ずれしたり、すべり落ちたりすることなく、下段の商品陳列台（１）の上面に安定的に積み重ねられる。
【００２６】
図５は、本発明の陳列台の支持構造の一例を示すもので、上記実施形態と同様の商品陳列台（１）における４本の脚杆（４）の下端のアジャスタ（７）を、上記枠体（２）と同様の方形をなす枠体状に組立てられた、下面の四隅部にストッパ付きキャスタ（１１）を有する支持台（１２）における４本の角管状をなす脚杆（１３）の上端部の受け孔（１４）に挿入することにより、上述と同様、商品陳列台（１）は、支持台（１２）上に安定的に載置されている。
【００２７】
以上説明したように、上記実施形態の商品陳列台（１）及びその支持構造においては、商品陳列台（１）の下面の四隅部に設けたアジャスタ（７）を、商品陳列台（１）の構成部材の一部をなす角管状の４本の脚杆（４）または支持台（１２）の４本の脚杆（１３）における上端の受け孔（１０）（１４）に挿入するだけで、商品陳列台（１）を、下段の商品陳列台（１）または支持台（１２）の上面に安定的に載置して積み重ねることができるため、商品陳列台（１）や支持台（１２）に、特別な部材を取付けたり、加工を施したり必要はなく、大幅なコスト低減が可能となる。
【００２８】
本発明は、上記実施形態に限定されるものではない。
上記実施形態では、商品陳列台（１）及び支持台（１２）の脚杆（４）（１３）を、角管状としているが、アジャスタ（７）の回転座（９）が挿脱しうるものであれば、丸パイプや多角形状の脚杆としてもよい。
【００２９】
また、アジャスタ（７）の回転座（９）の外形形状も、脚杆（４）（１３）の受け孔（１０）（１４）に挿脱しうるものであれば、円板形に限らず、多角形などとしてもよい。
【００３０】
支持台（１２）においては、キャスタ（１１）の代わりに、高さ調節可能なアジャスタを取付けてもよく、また、このようなキャスタ（１１）やアジャスタを省略して、単なる脚座としてもよい。
【００３１】
商品陳列台（１）は、その下部側の横連結杆（５）により囲まれた方形枠内に、商品載置用の底板を取付けたり、側面の開口部を、商品の出し入れに必要な１面を残して、側面板により閉塞してもよい。
【００３２】
脚杆（４）（１３）は、全体が角管状のものを用いているが、下部側を別部材とし、その上端に、アジャスタ（７）が挿入可能な断面形状の脚杆を連結するなどしてもよい。
【００３３】
天板（３）は、枠体（２）の上面に載置して固定してもよく、この際には、受け孔（１０）を天板（３）の四隅部に穿設すればよい。
【００３４】
本発明は、脚杆（４）（１３）が３本または４本以上有する陳列台にも適しうることは勿論である。
【００３５】
【発明の効果】
（Ａ）請求項１記載の発明によると、同一構造の複数の陳列台を、上段の陳列台のアジャスタを下段の陳列台の受け孔に嵌合することにより、すべり止めや互いの位置ずれを防止して安定的に積み重ねることができる。
また、陳列台には、アジャスタが挿脱しうる受け孔を設けるのみで、特別な部材を必要としないので、構造が簡単となり、かつコスト低減が図れる。
【００３６】
（Ｂ）請求項２記載の発明によると、複数の陳列台を積み重ねた際に、下段の陳列台の枠体の強度が大となるとともに、枠体の四隅の縦杆を脚杆として、その上端部に受け孔を設けているため、別部材としての脚杆を用いてそれに受け孔を設ける手間が省ける。
【００３７】
（Ｃ）請求項３記載の発明によると、各脚杆に受け孔を設ける必要がないので、コスト低減が可能となる。
【００３８】
（Ｄ）請求項４記載の発明によると、回転座の突出長を変えることにより、下段の受け孔への挿入深さを、陳列台の大きさ等により自在に変えることができる。
【００３９】
（Ｅ）請求項５記載の発明によると、積み重ねられた陳列台の水平方向のがた付きを小さくすることができる。
【００４０】
（Ｆ）請求項６記載の発明によると、回転座を、位置決めして受け孔に容易に挿入することができる。
【００４１】
（Ｇ）請求項７記載の発明によると、支持体上に受け孔を設けておくことにより、その支持体にも、同一構造の複数の陳列台を、位置ずれするのを防止して積み重ねることができる。
【図面の簡単な説明】
【図１】本発明を適用した商品陳列台の積み重ねる前の斜視図である。
【図２】同じく、積み重ねた状態の一部切欠正面図である。
【図３】同じく、上下の商品陳列台の一隅部の拡大斜視図である。
【図４】アジャスタの他の実施形態を示す正面図である。
【図５】本発明の陳列台の支持構造を示す正面図である。
【符号の説明】
（１）商品陳列台（陳列台）
（２）枠体
（３）天板
（４）脚杆
（５）横連結杆
（６）アングル材
（６ａ）内向片
（７）アジャスタ
（８）アジャスタボルト
（９）回転座
（１０）受け孔
（１１）キャスタ
（１２）支持台（支持体）
（１３）脚杆
（１４）受け孔
【図１】
2004321545.tif 000003
【図２】
2004321545.tif 000004
【図３】
2004321545.tif 000005
【図４】
2004321545.tif 000006
【図５】
2004321545.tif 000007